(57)【要約】【課題】  幼児が一人で魚肉ソーセージのフィルムを容易に安全に剥がし食べることが出来る幼児用魚肉ソーセージフィルムカッターを提供する。【解決手段】  肉厚構造体中空部に小さなソーセージフィルムカッター用突起を設け、魚肉ソーセージを貫通させることにより、幼児でも安全に魚肉ソーセージのフィルムパックに切れ込みが入れられるようにすることを特徴とする魚肉ソーセージフィルムカッター。【選択図】図１４
2019005529.tif 000002
【特許請求の範囲】
【請求項１】
両方向に開口している略円筒形状の中空部を有する肉厚構造体において、該中空部の円筒径は棒状魚肉ソーセージの太さ相当に形成されている構造体で、中空部の内壁にフィルムカッターとしての突起を有し、前記の突起が両開口部から幼児の指が挿入されても触れない程度奥に設置されていることを特徴とする魚肉ソーセージフィルムカッター。
【請求項２】
両方向に開口している略円筒形状の中空部を有する肉厚構造体において、該中空部の円筒径は棒状魚肉ソーセージの太さ相当に形成されている構造体で、中空部の内壁にフィルムカッターとしての突起を有し、少なくとも一方の開口部から前記突起までの距離は幼児の指が挿入されても触れない程度奥に設置されており、前記突起に近接する開口部にはセーフティーカバーを有していることを特徴とする魚肉ソーセージフィルムカッター。
【請求項３】
少なくとも一方の前記肉厚構造体の開口縁際面に、別に用意される専用付属のソーセージカッターと簡単に螺合する螺旋状溝又は嵌合し合う噛ませ合い型ツメ等のソーセージカッター装着部を形設することが出来ることを特徴とする請求項１又は２に記載の魚肉ソーセージフィルムカッター。
【発明の詳細な説明】
【技術分野】
【０００１】  本発明は、未就園児のような小さな子供でも魚肉ソーセージのフィルムを自分一人で剥がして食べる事が出来る事を補佐する道具に関するものである。
【背景技術】
【０００２】  従来から、魚肉ソーセージやフィッシュソーセージと言われているフィルムに包装されているほとんどのソーセージには、フィルムに切れ目が入っていて剥きやすいように工夫がされていた。
又、吸盤の中央部にカッターを取り付けてある器具でフィルム部分に裂け目を入れて剥がすもの（特許文献１参照）や、三角形状平板の板面に摩擦面を設けたり、かぎ爪状のひっかかり部分を設けたり、角を薄くしてへら状にし、切断開封しづらい様々な包装に対応した器具（特許文献２参照）等が存在する。
【先行技術文献】
【特許文献】
【０００３】
【特許文献１】特開平９−２４８３８７号公報
【特許文献２】実用新案登録第３０９５４８９号公報
【発明の概要】
【発明が解決しようとする課題】
【０００４】  魚肉ソーセージ自体には通常フィルムに切れ込みが入っていてそこから開封するようになっているのではあるが、切れ込みが小さかったり、大き目の切れ込みが入っていても空気が入らない様に上から小さなシールで密閉されている。指でつまむ部分の面積がとても小さいことから、大人でも、特に小さな子供は非常に剥がしづらく、ハサミや包丁を持ち出して子供の代わりに大人が対応する事が多い。
では、ハサミや包丁ではなく、特許文献１や特許文献２（以下、文献１、文献２と略称する）に示される「カッター」ならば、小児に使わせることができるだろうか？文献１に示される「パックカッター」は、吸盤外側中心部の盛り上がった部位に刃先が外へ向かって一体化された切断刃であり、それが食器棚のガラス戸や冷蔵庫の外壁面に固定し置かれる事になっている。大人ですら、無造作に行き来していると肌や服を傷つけかねないであろう。まして小さな子供がそれを使用することなど論外であろう。文献２に示される「包装体シールフィルム切断カッター」は、三角形状平板の縁沿いに刃体を設けたものであり、小児にとっては握り部と刃部との区別すらつきにくいものになっており、ハサミや包丁よりも「安全」とはとても言いきれない。そもそもこれらの出願人において、「小さな子供」による使用を想定している痕跡がないというのが適当であろう。
本発明が扱っている課題は、単にフィルム包装された食品の剥がしにくいフィルムを剥がしやすくする方法手段なのではなく、何よりも「小さな子供でも安全に使用することのできる」フィルムカッターなのである。
本発明は、以上の様な問題を解決するためになされたものである。
【課題を解決するための手段】
【０００５】  本発明は、両方向に開口している略円筒形状の中空部を有する肉厚構造体において、径は棒状魚肉ソーセージの太さ相当に形成されている構造体で、中空部の壁にフィルムカッターとしての突起を有し、前記の突起が両開口部から幼児の指が挿入されても触れない程度奥に設置されている事を特徴とする魚肉ソーセージフィルムカッターである。
本発明の好ましい態様として両方向に開口している肉厚構造体において少なくとも一方の開口部から突起部までの距離は幼児の指が挿入されても触れない程度奥に設置されているが、突起に近接する開口部にはセーフティーカバーを有していることを特徴とすること、
少なくとも一方の前記肉厚構造体の開口縁際面に、別に用意される専用付属のソーセージカッターと簡単に螺合する螺旋状溝又は嵌合し合う噛ませ合い型ツメ等のソーセージカッター装着部を形設することが出来ること
【発明の効果】
【０００６】  本発明の基本構成により、肉厚構造体上部開口から魚肉ソーセージを挿入し押しこみ、底部開口から出てきた部分を引っ張り出すという動作により孔内壁面に設けられているフィルムカッターとしての突起に魚肉ソーセージの側面が当たり、フィルムが縦一文字に切れる為、未就園児の様な小さな子供でも安全に容易に一人でフィルムを剥がすことが出来る。【０００７】  中空壁面に設けられているフィルムカッターが一方の開口に近接している場合は弾性の素材で放射状に切れ込みを入れたセーフティーカバーが設けてあり、指先がフィルムカッターに行き着く手前で予防されてより安全な構造になっている。【０００８】  前記肉厚構造体の一方の開口縁際面に、別に用意される専用付属のソーセージカッターと簡単に螺合する螺旋状溝又は嵌合し合う噛ませ合い型ツメ等のソーセージカッター装着部を形設することにより、フィルムを剥がしたソーセージをソーセージカッター装着部と逆の開口部から差し入れ押し込む事により、ソーセージカッターの型の形状に合わせてカットすることがより容易になる。
【図面の簡単な説明】
【０００９】
【図１】  本発明の一例を示す正面図
【図２】  本発明における頭部部分の特徴を分かり易く示した斜視図
【図３】  本発明における底部の特徴を分かり易く見せた斜視図
【図４】  本発明の一例を示す平面図
【図５】  本発明の一例を示す断面図
【図６】  本発明で使用する突起の一例を示すイメージ斜視図
【図７】  本発明の分解斜視図
【図８】  本発明の一部であるソーセージカッターの諸形態を示すイメージ図
【図９】  本発明の実施例における付属品を伴う外観斜視図
【図１０】  図９に示される本発明の実施例における断面図
【図１１】  多様な外観が考えられる本発明の外観例１
【図１２】  多様な外観が考えられる本発明の外観例２
【図１３】  多様な外観が考えられる本発明の外観例３
【図１４】  本発明の一例を示す斜視図
【発明を実施するための形態】
【００１０】  両方向に開口する肉厚構造体（１）において、内径（３）即ち中空部（４）の径は市販の棒状魚肉ソーセージの太さ相当に形成される。この肉厚構造体（１）を平面上に立て置いた場合において、幼児が上部開口（１１）から指を入れてしまってもフィルムカッターとしての突起部に触れない様、高さは５５ｍｍ程以上にすることが望ましい。中空部底部開口（５）縁から少し上がった位置に、上下の仕切り様にセーフティーカバー（６）を設けるがセーフティーカバー（６）は柔軟性ある樹脂等素材を用い、中心から中空壁の少し手前まで放射状に切れ込み（７）を入れた構造にしたり、又、伸縮性のある樹脂等素材に小さな穴を設けた様な構造が考えられる。このセーフティーカバー（６）から少し上がった地点の内空壁面に、小さな内側へ突き出る突起部（８）を設ける。セーフティーカバーにより、下からソーセージを逆に入れる事を防止すると共に、幼児が突起部に触れる事を防ぐ。柔軟性のある素材を使う事により、上部開口（１１）からソーセージを挿通することを可能にしている。セーフティーカバー（６）より内空部底部開口（５）縁際面に、別に用意される専用付属のソーセージカッター（９）と螺合する螺旋状溝又は嵌合し会う噛ませ合い型ツメ等のソーセージカッター装着部（１０）を形設する。
全体として欺様に形成された肉厚構造体型（１）の構成体を用い、その上部開口（１１）から、フィルムパックされた魚肉ソーセージを挿入し、軽く押し下げながら底部開口（１２）から引き出せば、突起部（８）によって縦直線状の切れ目が付けられており、フィルムは簡単に一気に剥き取る事ができ、更にその際必要とあらば、ソーセージカッター装着部（１０）に付属のソーセージカッター（９）を装着し、既にフィルムを剥き取られた裸の魚肉ソーセージを改めて上部開口（１１）から底部開口（１２）を挿通させれば、麺状のカット片等を得ることができる。
尚全体の高さは５５ｍｍ以上にすることが望ましいが、５５ｍｍ以下でも機能に支障をきたすものではない。又、フィルムを切る為の形状は突起型以外にも、刃型やフック型等の形状でフィルムカットの用途を果たす場合もある。
全体の高さを長くし、筒状１０ｃｍ程度にする場合は、押し出し棒（１３）を設け、魚肉ソーセージを押し出せるようにできると良い。押し出し棒（１３）は上部開口（１１）から突起部（８）迄の長さより短くすることで、突起部（８）に押し出し棒が（１３）あたることを避けることが出来る。又、押し出し棒頭（１４）は握りやすさを考え、又穴に埋没しないためのストッパーの機能として内径（３）より大きく作られていることが望ましい。反対に押し出し棒端（１５）は内径（３）より小さい円板状にし、内径（３）に入りソーセージを押し出しやすく形設することが望ましい。
外観は特に内部の魚肉ソーセージフィルムカッターとしての仕様やソーセージカッターとしての仕様を妨げるもので無ければ、様々な形が考えられる。握り用溝（１６）を設けたような球形の形状や立方体等、子供が喜ぶデザイン形状にすると良い。外観で内蔵されているフィルムカッター位置がわかるように突起設置部（１８）を肉厚構造体（１）表面に設け、だいたいのあたりをつけながら魚肉ソーセージを挿入することにより、フィルムが切れやすいよう圧力をかけやすくなる、又突起設置部（１８）を着脱可能にすれば取り外し洗う事が出来る構造にすることが出来る。
一方の開口部を閉塞させ、閉塞部（１７）を設け、幼児があやまって底部開口（１２）から指を差し入れても突起部（８）に触れないよう、突起部（８）を底部開口（１２）から５５ｍｍ以上離れた閉塞部近くに設け、ソーセージを差し入れ抜き出す動作により突起部（８）にフィルムがあたり切れるという構造も考えられる。
以上を特徴とする魚肉ソーセージフィルムカッターである。
【符号の説明】
【００１２】１  肉厚構造体
２  外径
３  内径
４  中空部
５  中空部底部開口
６  セーフティーカバー
７  切れ込み
８  突起部
９  ソーセージカッター
１０  ソーセージカッター装着部
１１  上部開口
１２  底部開口
１３  押し出し棒
１４  押し出し棒頭
１５  押し出し棒端
１６  にぎり用溝
１７  閉塞部
１８  突起設置部
【図１】
2019005529.tif 000003
【図２】
2019005529.tif 000004
【図３】
2019005529.tif 000005
【図４】
2019005529.tif 000006
【図５】
2019005529.tif 000007
【図６】
2019005529.tif 000008
【図７】
2019005529.tif 000009
【図８】
2019005529.tif 000010
【図９】
2019005529.tif 000011
【図１０】
2019005529.tif 000012
【図１１】
2019005529.tif 000013
【図１２】
2019005529.tif 000014
【図１３】
2019005529.tif 000015
【図１４】
2019005529.tif 000016